(57)【要約】【課題】像振れ補正装置において、小型化、薄型化、半田付け作業の容易化等を図る。【解決手段】レンズを保持すると共にレンズの光軸に垂直な平面内でベース１００に対して移動自在に支持された略平板状の可動保持部材１１０、可動保持部材を駆動するべく可動保持部材に固定されたコイル１３２，１４２を含む複数の駆動機構１３０，１４０、少なくともコイル１３２，１４２を電気的に接続するフレキシブル配線板１５０を備え、フレキシブル配線板１５０は、可動保持部材の主面Ｆ１上に固定される固定部１５１，１５２、可動保持部材の主面領域から外れるように固定部から延出した延出部１５３、延出部上においてコイルを接続した接続部１５４，１５５を含み、延出部１５３は可動保持部材の側面Ｆ２に沿って折り曲げられている。これによれば、半田付け時の熱による損傷等を防止でき、熟練した作業者でなくとも容易に半田付け作業等を行うことができる。【選択図】図１４
2010085694.tif 000002
【特許請求の範囲】
【請求項１】
開口部を有する略平板状のベースと、レンズを保持すると共にレンズの光軸に垂直な平面内で前記ベースに対して移動自在に支持された略平板状の可動保持部材と、前記可動保持部材を駆動するべく前記ベースに固定された磁石及び前記可動保持部材に固定されたコイルを含む複数の駆動機構と、少なくとも前記コイルを電気的に接続するフレキシブル配線板と、を備えた像振れ補正装置であって、
前記フレキシブル配線板は、前記可動保持部材の光軸方向に対面する主面上に固定される固定部と、前記可動保持部材の主面領域から外れるように前記固定部から延出した延出部と、前記延出部上において前記コイルを接続した接続部と、を含み、
前記延出部は、前記可動保持部材の側面に沿って折り曲げられている、
ことを特徴とする像振れ補正装置。
【請求項２】
前記可動保持部材は、前記コイルのリード部分を導き出す案内溝を有する、
ことを特徴とする請求項１に記載の像振れ補正装置。
【請求項３】
前記駆動機構は、前記可動保持部材を光軸に垂直な第１方向に駆動するべく第１磁石及び第１コイルを含む第１駆動機構と、前記可動保持部材を光軸に垂直な第２方向に駆動するべく第２磁石及び第２コイルを含む第２駆動機構とを含み、
前記第１駆動機構及び第２駆動機構は、光軸に直交する第１直線に対して線対称に配置され、
前記フレキシブル配線板は、前記可動保持部材の光軸方向に対面する主面上で前記第１コイルと前記第２コイルの近傍にそれぞれ固定される第１固定部及び第２固定部と、前記可動保持部材の主面領域から外れるように前記第１固定部及び第２固定部から延出した共通の延出部と、前記延出部上において前記第１コイルを接続した第１接続部及び前記第２コイルを接続した第２接続部を含む、
ことを特徴とする請求項１又は２に記載の像振れ補正装置。
【請求項４】
前記第１コイル及び第２コイルは、長軸及び短軸をもつ略楕円環状をなすように形成されると共に前記第１直線に対して各々の長軸が所定の傾斜角度をなすように配置され、
前記フレキシブル配線板の延出部は、前記第１直線の方向に延出するように形成されている、
ことを特徴とする請求項３に記載の像振れ補正装置。
【請求項５】
撮像用の複数のレンズを含む撮像レンズユニットにおいて、
請求項１ないし４いずれか一つに記載の像振れ補正装置を含む、
ことを特徴とする撮像レンズユニット。
【請求項６】
撮像素子を含むカメラユニットにおいて、
請求項１ないし４いずれか一つに記載の像振れ補正装置を含む、
ことを特徴とするカメラユニット。
【発明の詳細な説明】
【技術分野】
【０００１】
本発明は、デジタルカメラのレンズ鏡筒やシャッタユニット等に搭載される像振れ補正装置、この像振れ補正装置を備えた撮像レンズユニット及びカメラユニットに関し、特に、携帯電話機等の携帯情報端末機に搭載されるカメラユニットに適用される小型で薄型の像振れ補正装置、撮像レンズユニット及びカメラユニットに関する。
【背景技術】
【０００２】
従来の像振れ補正装置としては、中央に開口部を有する略矩形状のベースと、ベースの前面に設けられた第１案内軸と、第１案内軸に沿って往復動自在に支持された第１可動部材と、第１案内軸と９０度の方向に方向付けられて第１可動部材の前面に設けられた第２案内軸と、第２案内軸に沿って往復動自在に支持されかつレンズを保持する第２可動部材と、第１可動部材及び第２可動部材を一緒に第１案内軸の方向に往復動させる第１駆動装置と、第２可動部材を第２案内軸の方向に往復動させる第２駆動装置を備え、第１駆動装置及び第２駆動装置として、コイル及び磁石を含むボイスコイルモータを採用したものが知られている（例えば、特許文献１参照）。
【０００３】
しかしながら、この装置においては、第１可動部材と第２可動部材が光軸方向に配列された二段構成となっているため、光軸方向において装置の大型化を招く。
また、第２駆動装置は第２可動部材だけを駆動するものの、第１駆動装置は第１可動部材だけでなく第２可動部材及び第２案内軸も一緒に駆動する必要があるため、第１可動部材だけを駆動する場合に比べてより大きな駆動力を発生しなければならず、第１駆動装置の大型化を招く。さらに、第１駆動装置の駆動負荷と第２駆動装置の駆動負荷が異なるため、レンズを光軸に垂直な平面内で位置決めするための駆動制御が容易ではない。
【０００４】
また、他の像振れ補正装置としては、開口部を有する略矩形状のベースと、ベースの前面四隅に植設されて光軸方向に伸長する４本の弾性支持部材（ワイヤ）と、４本の弾性支持部材の先端が連結されてレンズを保持する可動部材と、可動部材に設けられた第１磁石及び第１ヨークと、可動部材に設けられた第２磁石及び第２ヨークと、ベースとは異なる他の部材に固定されて可動部材の前方に配置され第１コイル及び第２コイルを保持する略矩形状の固定枠とを備え、第１磁石及び第１ヨーク並びに第１コイルにより第１駆動手段を構成し、第２磁石及び第２ヨーク並びに第２コイルにより第２駆動手段を構成し、第１駆動手段により可動部材を光軸に垂直な第１方向に駆動し、第２駆動手段により可動部材を光軸及び第１方向に垂直な第２方向に駆動するようにしたものが知られている（例えば、特許文献２参照）。
【０００５】
しかしながら、この装置においては、可動部材が、光軸方向に伸長する４本の弾性支持部材（ワイヤ）を用いてベースに支持され、さらに可動部材の前方において他の部材によりコイルを保持する固定枠が支持されているため、光軸方向において装置の大型化を招くと共に、４本の弾性支持部材の連結部がリンク状ではなくリジッドに連結されているため、可動部材（レンズ）が光軸に垂直な平面方向に移動させられるだけでなく光軸に対して傾斜する虞がある。また、ベースと可動部材は連結されていても、コイルを保持する固定枠は一体的に連結されていないため、像振れ補正装置としてモジュール化することができず、取り扱いが不便であると共に、一つの部材（例えばベース）を基準として、可動部材の第１磁石及び第２磁石と固定枠の第１コイル及び第２コイルをそれぞれ位置合わせすることができず、装置の組付け作業が面倒である。さらに、第１駆動手段（の第１磁石及び第１ヨーク）と第２駆動手段（の第２磁石及び第２ヨーク）が、レンズに対して可動部材の片側にのみ配置されているため、第１駆動手段及び第２駆動手段は、レンズに対して対称的にではなく可動部材の一方側にのみ駆動力を及ぼすことになり、可動部材の傾斜すなわちレンズの傾斜を助長する傾向にある。
【０００６】
さらに、他の像振れ補正装置としては、図１６に示すように、ベース１と、レンズＧを保持する可動部材２と、可動部材２に固定された複数の駆動手段（コイル３等）と、コイル３等に配線するべく可動部材２の前面に沿って配設された配線部４ａを含むフレキシブル配線板４等を備え、コイル３のリード部分を接続する半田付け部４ｂを、レンズＧが露出する可動部材２の前面に設けたものが知られている（例えば、特許文献３参照）。
しかしながら、半田付け部４ｂを、可動部材２の前面に確保するため、可動部材の小型化（幅狭化）等が困難である。また、半田付け部４ｂとレンズＧが接近しているため、半田付け作業時に、半田ごての熱が可動部材２又はレンズＧに伝わり、可動部材２又はレンズＧを熱的に破損又は損傷させる虞がある。
【０００７】
【特許文献１】特開２００７−２８６３１８号公報
【特許文献２】特開２００８−６４８４６号公報
【特許文献３】特許第３７４０４７５号公報
【発明の開示】
【発明が解決しようとする課題】
【０００８】
本発明は、上記の事情に鑑みて成されたものであり、その目的とするところは、構造の簡素化、レンズの光軸方向及び光軸方向に垂直な方向における装置の小型化及び薄型化等を図りつつ、半田付け作業等を容易に行うことができ、又、半田付け時の熱による損傷等を防止でき、携帯電話機等のカメラユニットに搭載されて手振れ等による像振れを高精度に補正することができる像振れ補正装置、この像振れ補正装置を備えた撮像レンズユニット及びカメラユニットを提供することにある。
【課題を解決するための手段】
【０００９】
本発明の像振れ補正装置は、開口部を有する略平板状のベースと、レンズを保持すると共にレンズの光軸に垂直な平面内でベースに対して移動自在に支持された略平板状の可動保持部材と、可動保持部材を駆動するべくベースに固定された磁石及び可動保持部材に固定されたコイルを含む複数の駆動機構と、少なくともコイルを電気的に接続するフレキシブル配線板を備えた像振れ補正装置であって、上記フレキシブル配線板は、可動保持部材の光軸方向に対面する主面上に固定される固定部と、可動保持部材の主面領域から外れるように固定部から延出した延出部と、延出部上においてコイルを接続した接続部を含み、延出部は可動保持部材の側面に沿って折り曲げられている、ことを特徴としている。
この構成によれば、複数の駆動機構の駆動力により、可動保持部材は、ベースに対して光軸に垂直な平面内で二次元的に移動させられ、手振れ等による像振れを高精度に補正することができる。
ここで、フレキシブル配線板は、可動保持部材の主面領域からはみ出した延出部上にコイルの接続部（半田付け部等）を有し、この延出部が接続部を形成した（半田付けした）後に可動保持部材の側面に沿って折り曲げられているため、半田付け作業はレンズ等から離れた領域で行うことができる。したがって、半田付け時の熱による損傷等を防止でき、又、特に熟練した作業者でなくとも容易に接続（半田付け）作業を行うことができる。
【００１０】
上記構成において、可動保持部材は、コイルのリード部分を導き出す案内溝を有する、構成を採用することができる。
この構成によれば、コイルのリード部分を案内溝に通して引き出すことで、配線作業を容易に行うことができ、部品を集約して、装置を薄型化、小型化することができる。
【００１１】
上記構成において、駆動機構は、可動保持部材を光軸に垂直な第１方向に駆動するべく第１磁石及び第１コイルを含む第１駆動機構と、可動保持部材を光軸に垂直な第２方向に駆動するべく第２磁石及び第２コイルを含む第２駆動機構とを含み、第１駆動機構及び第２駆動機構は、光軸に直交する第１直線に対して線対称に配置され、フレキシブル配線板は、可動保持部材の光軸方向に対面する主面上で第１コイルと第２コイルの近傍にそれぞれ固定される第１固定部及び第２固定部と、可動保持部材の主面領域から外れるように第１固定部及び第２固定部から延出した共通の延出部と、延出部上において第１コイルを接続した第１接続部及び第２コイルを接続した第２接続部を含む、構成を採用することができる。
この構成によれば、第１駆動機構及び第２駆動機構は、レンズの光軸と直交する第１直線に対して線対称に配置されているため、各々が受ける駆動負荷は同一であり、レンズを挟んで両側に駆動力を及ぼすため、可動保持部材を光軸に垂直な平面内において安定して円滑に駆動することができる。
ここで、フレキシブル配線板は、二つの固定部に連続する共通の延出部を有し、この延出部上に二つの接続部が設けられるため、半田付け作業を同一の側で一度に容易に行うことができ、又、半田付け時の熱による損傷等を防止でき、又、特に熟練した作業者でなくとも容易に接続（半田付け）作業を行うことができる。
【００１２】
上記構成において、第１コイル及び第２コイルは、長軸及び短軸をもつ略楕円環状をなすように形成されると共に第１直線に対して各々の長軸が所定の傾斜角度をなすように配置され、フレキシブル配線板の延出部は、第１直線の方向に延出するように形成されている、構成を採用することができる。
この構成によれば、可動保持部材を第１直線及び光軸に直交する第２直線の方向に長尺な形状とした場合に、第１コイル及び第２コイルを傾斜させることで、第１直線の方向において可動保持部材の寸法を小さくすることができ、又、この第１直線の方向に延出部を延出させて折り曲げることで、光軸に垂直な第１直線の方向における装置の小型化及び薄型化等を達成することができる。
【００１３】
また、本発明の撮像レンズユニットは、撮像用の複数のレンズを含む撮像レンズユニットにおいて、上記構成をなす像振れ補正装置のいずれか一つを含む、ことを特徴としている。
この構成によれば、撮像用の複数のレンズが光軸方向に配置された構成において、上記の像振れ補正装置を含むことで、可動保持部材に保持される補正用のレンズが適宜駆動されて、手振れ等による像振れを円滑にかつ高精度に補正することができる。
すなわち、撮像用の複数のレンズに加えて、上記の像振れ補正機能を追加した撮像レンズユニットを提供することができる。
【００１４】
さらに、本発明のカメラユニットは、撮像素子を含むカメラユニットにおいて、上記構成をなす像振れ補正装置のいずれか一つを含む、ことを特徴としている。
この構成によれば、撮像素子を含むカメラユニットにおいて、上記の像振れ補正装置を含むことで、可動保持部材に保持される補正用のレンズが適宜駆動されて、手振れ等による像振れを円滑にかつ高精度に補正することができ、撮像素子により良好が撮影画像を得ることができる。
【発明の効果】
【００１５】
上記構成をなす像振れ補正装置によれば、構造の簡素化、レンズの光軸方向及び光軸方向に垂直な方向における装置の小型化及び薄型化等を達成しつつ、半田付け作業等を容易に行うことができ、又、半田付け時の熱による損傷等を防止でき、携帯電話機等のカメラユニットに搭載されて手振れ等による像振れを高精度に補正することができる像振れ補正装置を得ることができる。
【発明を実施するための最良の形態】
【００１６】
以下、本発明の最良の実施形態について、添付図面を参照しつつ説明する。
図１ないし図１５は、本発明に係る像振れ補正装置の一実施形態を示すものであり、図１は像振れ補正装置が組み込まれたカメラユニットを搭載した携帯情報端末機を示す斜視図、図２はカメラユニットを示す斜視図、図３はカメラユニットのシステム図、図４はカメラユニットの断面図、図５は像振れ補正装置の斜視図、図６は像振れ補正装置の分解斜視図、図７は像振れ補正装置の断面図、図８及び図９は像振れ補正装置の一部を省略した斜視図、図１０は像振れ補正装置の一部を省略した平面図、図１１は像振れ補正装置に含まれる可動保持部材のベースと対向する側の面を示す図、図１２は像振れ補正装置に含まれるベースの平面図、図１３及び図１４はフレキシブル配線板の組付け及び半田付けを示す斜視図、図１５は像振れ補正装置の動作を説明する平面図である。
【００１７】
この像振れ補正装置を組み込んだカメラユニットＵは、図１に示すように、扁平で小型の携帯情報端末機Ｐに搭載されている。携帯情報端末機Ｐは、略矩形で扁平な輪郭をなす筐体Ｐ１、筐体Ｐ１の表面に配置された種々の情報を表示する液晶パネル等の表示部Ｐ２及び操作ボタンＰ３、表示部Ｐ２の反対側の表面に形成された撮影窓Ｐ４等を備えている。そして、カメラユニットＵは、図１に示すように、撮影窓Ｐ４から進入する被写体光の光軸Ｌ１に対して垂直な方向に延在するように筐体Ｐ１の内部に収容されている。
【００１８】
カメラユニットＵは、図２及び図３に示すように、ユニットケース１０、プリズム２０、レンズＧ１、レンズＧ２を保持する第１可動レンズ群３０、レンズＧ３，Ｇ４，Ｇ５を保持する第２可動レンズ群としての像振れ補正装置Ｍ、レンズＧ６、フィルタ４０、撮像素子としてのＣＣＤ５０、第１可動レンズ群３０を光軸Ｌ２方向に駆動する第１駆動ユニット６０、第２可動レンズ群（像振れ補正装置Ｍ）を光軸Ｌ２方向に駆動する第２駆動ユニット７０、制御システム８０等を備えている。
【００１９】
ユニットケース１０は、図２に示すように、光軸Ｌ１方向の厚さ寸法が薄く、又、光軸Ｌ２方向の長さ寸法が短くなるように、扁平で略矩形をなす形状に形成されており、プリズム２０を固定する突出部１１、レンズＧ１を保持する保持部１２、レンズＧ６を保持する保持部１３、フィルタ４０を保持する保持部１４、ＣＣＤ５を保持する保持部１５等を備えている。
プリズム２０は、図２及び図３に示すように、ユニットケース１０の突出部１１に収容されて、撮影窓Ｐ４から進入する被写体光の光軸Ｌ１を直角に屈曲させて光軸Ｌ２方向に導くようになっている。
レンズＧ１は、図２及び図３に示すように、光軸Ｌ１，Ｌ２方向においてプリズム２０の後方に配置され、ユニットケース１０の保持部１２に固定されている。
【００２０】
第１可動レンズ群３０は、図２及び図３に示すように、光軸Ｌ２方向においてレンズＧ１の後方に配置され、光軸Ｌ２方向に移動自在に支持されており、第１駆動ユニット６０により光軸Ｌ２方向に往復駆動されるようになっている。
すなわち、第１可動レンズ群３０は、レンズ保持部材３１、ガイドシャフト６１にガイドされる被ガイド部３２、回り止めシャフト６２に摺動自在に係合されて光軸Ｌ２回りの回転が規制される被規制部３３、リードスクリュー６３に螺合されたナット６５が当接するＵ字状係合部３４等を備えている。
【００２１】
レンズＧ６は、図２及び図３に示すように、光軸Ｌ２方向において第２可動レンズ群（像振れ補正装置Ｍ）の後方に配置され、ユニットケース１０の保持部１３に固定されている。
フィルタ４０は、赤外線カットフィルタあるいはローパスフィルタ等であり、図２及び図３に示すように、光軸Ｌ２方向においてレンズＧ６の後方に配置され、ユニットケース１０の保持部１４に固定されている。
ＣＣＤ５０は、図２及び図３に示すように、光軸Ｌ２方向においてフィルタ４０の後方に配置されて、ユニットケース１０の保持部１５に固定されている。
【００２２】
第１駆動ユニット６０は、図２及び図３に示すように、光軸Ｌ２方向に伸長してユニットケース１０に固定されたガイドシャフト６１及び回り止めシャフト６２、光軸Ｌ２方向に伸長するリードスクリュー６３、リードスクリュー６３を回転駆動するモータ６４、リードスクリュー６３に螺合すると共に第１可動レンズ群３０のＵ字状係合部３４に当接するナット６５、Ｕ字状係合部３４をナット６４に向けて常時付勢する付勢力を及ぼすコイルスプリング６６等を備えている。
【００２３】
第２駆動ユニット７０は、図２及び図３に示すように、光軸Ｌ２方向に伸長してユニットケース１０に固定されたガイドシャフト７１及び回り止めシャフト７２、光軸Ｌ２方向に伸長するリードスクリュー７３、リードスクリュー７３を回転駆動するモータ７４、リードスクリュー７３に螺合すると共に第２可動レンズ群に含まれるベース１００のＵ字状係合部１０６に当接するナット７５、Ｕ字状係合部１０６をナット７４に向けて常時付勢する付勢力を及ぼすコイルスプリング７６等を備えている。
【００２４】
制御システム８０は、図３に示すように、演算処理を行うと共に種々の信号を処理して指令信号を発するマイクロコンピュータ８１、第１駆動ユニット６０のモータ６４を駆動する駆動回路８２、第２駆動ユニット７０のモータ７４を駆動する駆動回路８３、ＣＣＤ５０を駆動するＣＣＤ駆動回路８４、像振れ補正装置Ｍに含まれる第１駆動機構１３０及び第２駆動機構１４０を駆動する駆動回路８５、像振れ補正装置Ｍに含まれる可動保持部材１１０の位置を検出する第１位置センサ１７０及び第２位置センサ１８０に接続される位置検出回路８６、カメラユニットＵの受ける振動や振れを検出する角速度検出回路８７等を備えている。
【００２５】
第２可動レンズ群としての像振れ補正装置Ｍは、図２ないし図４に示すように、光軸Ｌ２方向において第１可動レンズ群３０とレンズＧ６の間に配置され、光軸Ｌ２方向に移動自在に支持されている。
そして、像振れ補正装置Ｍは、図５ないし図７に示すように、ベース１００、可動保持部材１１０、付勢バネ１２０、第１磁石１３１，第１コイル１３２，第１ヨーク１３３，１３４を含む第１駆動機構１３０、第２磁石１４１，第２コイル１４２，第２ヨーク１４３，１４４を含む第２駆動機構１４０、フレキシブル配線板１５０、カバー部材１６０、第１位置センサ１７０及び第２位置センサ１８０等を備えている。
【００２６】
ベース１００は、図７ないし図１０、図１２に示すように、光軸Ｌ２に直交し光軸Ｌ１に平行な第１直線Ｓ１の方向に幅狭で、光軸Ｌ２及び第１直線Ｓ１に直交する第２直線Ｓ２の方向に長尺な略矩形の平板状に形成されており、光軸Ｌ２を中心とする円形の開口部１０１、第１磁石１３１を嵌め込んで固定する嵌合孔１０２及び第１ヨーク１３３を嵌め込んで固定する嵌合孔１０２´、第２磁石１４１を嵌め込んで固定する嵌合孔１０３及び第２ヨーク１４３を嵌め込んで固定する嵌合孔１０３´、ガイドシャフト７１に摺動自在に係合されてガイドされる被ガイド部１０４、回り止めシャフト７２に摺動自在に係合されて光軸Ｌ２回りの回転が規制される被規制部１０５、リードスクリュー７３に螺合されたナット７５が当接するＵ字状係合部１０６、付勢バネ１２０の一端部が掛止される二つの掛止部１０７、可動保持部材１１０に形成された４つの突起１１８を摺動自在に受ける平坦な受け面１０８等を備えている。
【００２７】
開口部１０１は、可動保持部材１１０が駆動される範囲内において、円筒部１１０ａが非接触にて通過し得る内径寸法に形成されている。
嵌合孔１０２（及び嵌合孔１０２´）は、図１２に示すように、第２直線Ｓ２と４５度をなす直線Ｓ３の方向に長尺でかつ直線Ｓ３に垂直な直線Ｓ４´の方向に幅狭い略矩形状に形成されている。
嵌合孔１０３（及び嵌合孔１０３´）は、図１２に示すように、第２直線Ｓ２と４５度をなす直線Ｓ４の方向に長尺でかつ直線Ｓ４に垂直な直線Ｓ３´の方向に幅狭い略矩形状に形成されている。
そして、嵌合孔１０２（及び嵌合孔１０２´）と嵌合孔１０３（及び嵌合孔１０３´）は、図１２に示すように、直線Ｓ１に対して線対称に形成されている。
すなわち、第１磁石１３１及び第１ヨーク１３３と第２磁石１４１及び第２ヨーク１４３は、ベース１００上において、直線Ｓ１に対して線対称に配置されている。
【００２８】
可動保持部材１１０は、図６ないし図１１に示すように、光軸Ｌ２に直交し光軸Ｌ１に平行な第１直線Ｓ１の方向に幅狭で、光軸Ｌ２及び第１直線Ｓ１に直交する第２直線Ｓ２の方向に長尺な略矩形の平板状に形成されており、光軸Ｌ２を中心とする円形の円筒部１１０ａ、円筒部１１０ａを挟んで第２直線Ｓ２方向の両側に延出する平板部１１１、第１コイル１３２を嵌め込んで固定する嵌合孔１１２、第２コイル１４２を嵌め込んで固定する嵌合孔１１３、第１位置センサ１７０を嵌め込んで固定する嵌合孔１１４、第２位置センサ１８０を嵌め込んで固定する嵌合孔１１５、付勢バネ１２０の一端部が掛止される二つの掛止部１１７、ベース１００（の受け面１０８）に当接する４つの突起１１８、第１コイル１３２及び第２コイル１４２のリード部分１３２ａ，１３２ｂ，１４２ａ，１４２ｂを導き出す案内溝１１９等を備えている。そして、可動保持部材１１０は、図１３及び図１４に示すように、光軸Ｌ２方向において対面する主面Ｆ１、主面Ｆ１に垂直で第１直線Ｓ１の方向において対面する側面Ｆ２を画定している。
【００２９】
嵌合孔１１２（及び嵌合孔１１４）は、図１０及び図１１に示すように、第２直線Ｓ２と４５度をなす直線Ｓ３の方向に長尺でかつ直線Ｓ３に垂直な直線Ｓ４´の方向に幅狭い略矩形状に形成されている。
嵌合孔１１３（及び嵌合孔１１５）は、図１０及び図１１に示すように、第２直線Ｓ２と４５度をなす直線Ｓ４の方向に長尺でかつ直線Ｓ４に垂直な直線Ｓ３´の方向に幅狭い略矩形状に形成されている。
そして、嵌合孔１１２（及び嵌合孔１１４）と嵌合孔１１３（及び嵌合孔１１５）は、図１０及び図１１に示すように、直線Ｓ１に対して線対称に形成されている。
すなわち、第１コイル１３２及び第１位置センサ１７０と第２コイル１４２及び第２位置センサ１８０は、可動保持部材１１０上において、直線Ｓ１に対して線対称に配置されている。
【００３０】
４つの突起１１８は、光軸Ｌ２方向においてベース１００側に向けて略円柱状に突出するように形成されて、ベース１００の受け面１０８に対して摺動自在に当接するようになっており、図７に示すように、可動保持部材１１０（の平板部１１１）がベース１００に対して隣接した状態で配置されるように、その突出高さが小さく設定されている。
そして、図１１に示すように、嵌合孔１１２の周りに形成された２つの突起１１８は、直線Ｓ３に対して線対称に配置され、嵌合孔１１３の周りに形成された２つの突起１１８は、直線Ｓ４に対して線対称に配置されている。
上記のように、可動保持部材１１０とベース１００とは、付勢バネ１２０によりお互いに付勢されて、突起１１８が受け面１０８に摺動自在に当接して支持されているため、構造の簡素化、部品点数の削減を達成しつつ、光軸Ｌ２方向における装置の薄型化を達成することができる。
【００３１】
付勢バネ１２０は、引張り型のコイルバネであり、その一端部がベース１００の掛止部１０７に掛止され、その他端部が可動保持部材１１０の掛止部１１７に掛止されている。そして、突起１１８を受け面１０８に対して常時摺動自在に当接させるように張設されている。
【００３２】
カバー部材１６０は、図５ないし図７に示すように、光軸Ｌ２方向において可動保持部材１１０を挟み込むように配置されベース１００に固定されており、その中央において円形の開口部１６１、開口部１６１の両側において、第１ヨーク１３４を嵌合する嵌合孔１６２、第２ヨーク１４４を嵌合する嵌合孔１６３等を備えている。
開口部１６１は、可動保持部材１１０が駆動される範囲内において、円筒部１１０ａが非接触にて通過し得る内径寸法に形成されている。
【００３３】
第１駆動機構１３０は、図７に示すように、第１磁石１３１、第１コイル１３２、第１ヨーク１３３，１３４を含むボイスコイルモータとして形成されている。
第１磁石１３１は、図１２に示すように、直線Ｓ３の方向に長尺な矩形形状に形成されて、ベース１００の嵌合孔１０２に嵌合されて固定されている。そして、第１磁石１３１は、直線Ｓ３を通る面を境にＮ極とＳ極とに着磁されている。
第１コイル１３２は、図１０に示すように、直線Ｓ３の方向に長軸及び直線Ｓ４´の方向に短軸をもつ略楕円環状をなすように形成されて、可動保持部材１１０の嵌合孔１１２に嵌合されて固定されている。そして、第１コイル１３２は、その中心Ｃ１が直線Ｓ２上に位置するように、かつ、その長軸が第２直線Ｓ２に対して４５度の傾斜角度をなすように配置されている。また、第１コイル１３２は、可動保持部材１１０の案内溝１１９に挿入されて導き出されるリード部分１３２ａ，１３２ｂを有する。
第１ヨーク１３３は、第１磁石１３１に接触した状態で第１磁石１３１と同等以上の面積をなし直線Ｓ３の方向に長尺な矩形形状に形成されて、図７に示すように、ベース１００の嵌合孔１０２´に嵌合されて固定されている。
第１ヨーク１３４は、第１コイル１３２よりも大きい面積をなす矩形の平板状に形成されて、第１コイル１３２と光軸Ｌ２方向において所定隙間をおいて配置され、カバー部材１６０の嵌合孔１６２に嵌合されて固定されている。
すなわち、第１駆動機構１３０は、第１コイル１３２に対する通電をオン／オフすることにより、光軸Ｌ２に垂直な第１方向すなわち直線Ｓ４´の方向に電磁駆動力を発生するようになっている。
第１ヨーク１３３は、第１磁石１３１及び第１コイル１３２と協働して磁気回路を形成するものであり、ベース１００（の嵌合孔１０２´）に固定されているため、第１駆動機構１３０の駆動負荷を増加させることなく、磁気効率を高めることができる。
また、第１ヨーク１３４が、第１ヨーク１３３と協働して、光軸Ｌ２方向において第１磁石１３１及び第１コイル１３２を挟むように（すなわち、第１ヨーク１３３，１３４が両側に）配置されているため、磁気効率をさらに高めることができる。
【００３４】
第２駆動機構１４０は、図７に示すように、第２磁石１４１、第２コイル１４２、第２ヨーク１４３，１４４を含むボイスコイルモータとして形成されている。
第２磁石１４１は、図１２に示すように、直線Ｓ４の方向に長尺な矩形形状に形成されて、ベース１００の嵌合孔１０３に嵌合されて固定されている。そして、第２磁石１４１は、直線Ｓ４を通る面を境にＮ極とＳ極とに着磁されている。
第２コイル１４２は、図１０に示すように、直線Ｓ４の方向に長軸及び直線Ｓ３´の方向に短軸をもつ略楕円環状をなすように形成されて、可動保持部材１１０の嵌合孔１１３に嵌合されて固定されている。そして、第２コイル１４２は、その中心Ｃ２が直線Ｓ２上に位置するように、かつ、その長軸が第２直線Ｓ２に対して４５度の傾斜角度をなすように配置されている。また、第２コイル１４２は、可動保持部材１１０の案内溝１１９に挿入されて導き出されるリード部分１４２ａ，１４２ｂを有する。
第２ヨーク１４３は、第２磁石１４１に接触した状態で第２磁石１４１と同等以上の面積をなし直線Ｓ４の方向に長尺な矩形形状に形成されて、図７に示すように、ベース１００の嵌合孔１０３´に嵌合されて固定されている。
第２ヨーク１４４は、第２コイル１４２よりも大きい面積をなす矩形の平板状に形成されて、第２コイル１４２と光軸Ｌ２方向において所定隙間をおいて配置され、カバー部材１６０の嵌合孔１６３に嵌合されて固定されている。
すなわち、第２駆動機構１４０は、第２コイル１４２に対する通電をオン／オフすることにより、光軸Ｌ２に垂直な第２方向すなわち直線Ｓ３´の方向に電磁駆動力を発生するようになっている。
第２ヨーク１４３は、第２磁石１４１及び第２コイル１４２と協働して磁気回路を形成するものであり、ベース１００（の嵌合孔１０３´）に固定されているため、第２駆動機構１４０の駆動負荷を増加させることなく、磁気効率を高めることができる。
また、第２ヨーク１４４が、第２ヨーク１４３と協働して、光軸Ｌ２方向において第２磁石１４１及び第２コイル１４２を挟むように（すなわち、第２ヨーク１４３，１４４が両側に）配置されているため、磁気効率をさらに高めることができる。
【００３５】
上記第１駆動機構１３０と第２駆動機構１４０とは、図１０及び図１２に示すように、一つの可動保持部材１１０に保持されたレンズＧ３，Ｇ４，Ｇ５の光軸Ｌ２と直交する第１直線Ｓ１に対して線対称に配置されているため、各々が受ける駆動負荷は同一であり、レンズＧ３，Ｇ４，Ｇ５を挟んで両側に駆動力を及ぼすため、可動保持部材１１０を光軸Ｌ２に垂直な平面内において安定して円滑に駆動することができる。
また、第１コイル１３２及び第２コイル１４２は、各々の中心Ｃ１，Ｃ２がレンズＧ３，Ｇ４，Ｇ５の光軸Ｌ２及び第１直線Ｓ１に直交する第２直線Ｓ２上に位置するように配置され、又、各々の長軸が、第２直線に対して所定の傾斜角度をなすように配置されているため、可動保持部材１１０を第２直線Ｓ２の方向に長尺な形状とした場合に、第１コイル１３２及び第２コイル１４２を傾斜させることで、第１直線Ｓ１の方向において可動保持部材１１０の寸法を小さくすることができ、光軸Ｌ２に垂直な方向（第１直線Ｓ１の方向）における装置の小型化及び薄型化等を達成することができる。
【００３６】
また、可動保持部材１１０は、円筒部１１０ａがベース１００の開口部１０１に挿入されかつ両側の平板部１１１が光軸Ｌ２方向においてベース１００と隣接して対向するように配置されるため、複数のレンズＧ３，Ｇ４，Ｇ５を保持する場合であっても、可動保持部材１１０をベース１００により近付けて配置することができ、光軸Ｌ２方向において装置を薄型化することができる。
さらに、第１磁石１３１及び第２磁石１４１はベース１００に固定され、第１コイル１３２及び第２コイル１４２は可動保持部材１１０に固定されている、すなわち、レンズＧ３，Ｇ４，Ｇ５を保持する可動保持部材１１０に第１コイル１３２及び第２コイル１４２を固定しているため、レンズの仕様（枚数、重さ等）に応じて第１コイル１３２及び第２コイル１４２の巻数等を変更する場合に、仕様に応じてモジュール化することができる。
【００３７】
フレキシブル配線板１５０は、図６、図１３、図１４に示すように、第１駆動機構１３０の第１コイル１３２の近傍において可動保持部材１１０の主面Ｆ１上に固定される第１固定部１５１、第２駆動機構１４０の第２コイル１４２の近傍において可動保持部材１１０の主面Ｆ１上に固定される第２固定部１５２、可動保持部材１１０の主面Ｆ１領域から外れるように第１固定部１５１及び第２固定部１５２から第１直線Ｓ１の方向に延出した共通の延出部１５３、延出部１５３上において第１コイル１３２のリード部分１３２ａ，１３２ｂを接続した第１接続部１５４ａ，１５４ｂ、延出部１５３上において第２コイル１４２のリード部分１４２ａ，１４２ｂを接続した第４接続部１５５ａ，１５５ｂ等を備えている。
【００３８】
そして、フレキシブル配線板１５０は、図１３及び図１４に示すように、第１固定部１５１及び第２固定部１５２が可動保持部材１１０の主面Ｆ１上に固定され、延出部１５３を下方から冶具等により支持した状態で、延出部１５３上に第１接続部１５４ａ，１５４ｂ及び第２接続部１５５ａ，１５５ｂが同時に形成され（半田付けされ）、その後、延出部１５３が、曲げ機械（工具）等を用いて、可動保持部材１１０の側面Ｆ２に沿って折り曲げられるようになっている。
また、フレキシブル配線板１５０は、図３に示すように、ユニットケース１０内を屈曲自在に配設されて、駆動回路８５及び位置検出回路８６に電気的に接続されている。
【００３９】
このように、フレキシブル配線板１５０は、可動保持部材１１０の主面Ｆ１領域からはみ出した共通の延出部１５３上に第１コイル１３２及び第２コイル１４２の第１接続部１５４ａ，１５４ｂ及び第２接続部１５５ａ，１５５ｂ（半田付け部等）を有し、この延出部１５３が接続作業後に可動保持部材１１０の側面Ｆ２に沿って折り曲げられているため、半田付け作業はレンズＧ５から離れた領域でかつ同一の側で一度に容易に行うことができる。したがって、半田付け時の熱による損傷等を防止でき、又、特に熟練した作業者でなくとも容易に接続（半田付け）作業を行うことができる。
【００４０】
また、第１コイル１３２及び第２コイル１４２のリード部分１３２ａ，１３２ｂ，１４２ａ，１４２ｂを案内溝１１９に通して引き出すことで、配線作業を容易に行うことができ、部品を集約して、装置を薄型化、小型化することができる。
さらに、第１コイル１３２及び第２コイル１４２は、長軸及び短軸をもつ略楕円環状をなすように形成されると共に第１直線Ｓ１に対して各々の長軸が所定の傾斜角度をなすように配置され、フレキシブル配線板１５０の延出部１５３が第１直線Ｓ１の方向に延出して折り曲げられるように形成されているため、可動保持部材１１０を第１直線Ｓ１及び光軸Ｌ２に直交する第２直線Ｓ２の方向に長尺な形状とした場合に、第１直線Ｓ１の方向において可動保持部材１１０の寸法を小さくすることができ、第１直線Ｓ１の方向における装置の小型化及び薄型化等を達成することができる。
【００４１】
第１位置センサ１７０は、例えば磁束密度の変化を検出して電気信号として出力するホール素子であり、図１０に示すように、可動保持部材１１０の嵌合孔１１４に嵌合されて固定されている。そして、第１位置センサ１７０は、第１駆動機構１３０の領域において、可動保持部材１１０がベース１００（の第１磁石１３１）に対して相対的に移動することによって生じる磁束密度の変化を検出することで、位置の変化を検出するようになっている。尚、第１位置センサ１７０は、第１接続部１５４ａ，１５４ｂの近傍領域に設けられた接続部（不図示）において、フレキシブル配線板１５０に電気的に接続されるようになっている。
【００４２】
第２位置センサ１８０は、例えば磁束密度の変化を検出して電気信号として出力するホール素子であり、図１０に示すように、可動保持部材１１０の嵌合孔１１５に嵌合されて固定されている。そして、第２位置センサ１８０は、第２駆動機構１４０の領域において、可動保持部材１１０がベース１００（の第２磁石１４１）に対して相対的に移動することによって生じる磁束密度の変化を検出することで、位置の変化を検出するようになっている。尚、第２位置センサ１８０は、第２接続部１５５ａ，１５５ｂの近傍領域に設けられた接続部（不図示）において、フレキシブル配線板１５０に電気的に接続されるようになっている。
【００４３】
次に、上記像振れ補正装置Ｍの補正動作について、図１５を参照しつつ簡単に説明すると、先ず、図１５（ａ）に示すように、ベース１００の開口部１０１の中心と可動保持部材１１０上のレンズＧ３，Ｇ４，Ｇ５の光軸Ｌ２とが一致している状態から、一例として可動保持部材１１０（レンズＧ３，Ｇ４，Ｇ５）を上方にシフトさせる場合は、第１駆動機構１３０に第１方向（直線Ｓ４´の方向）の斜め上向きに駆動力を発生させ、又、第２駆動機構１４０に第２方向（直線Ｓ３´の方向）の斜め上向きに駆動力を発生させる。これにより、可動保持部材１１０は、図１５（ｂ）に示すように、直線Ｓ１の方向の上向きに移動させられる。
また、図１５（ａ）に示すように、ベース１００の開口部１０１の中心と可動保持部材１１０上のレンズＧ３，Ｇ４，Ｇ５の光軸Ｌ２とが一致している状態から、一例として可動保持部材１１０（レンズＧ３，Ｇ４，Ｇ５）を下方にシフトさせる場合は、第１駆動機構１３０に第１方向（直線Ｓ４´の方向）の斜め下向きに駆動力を発生させ、又、第２駆動機構１４０に第２方向（直線Ｓ３´の方向）の斜め下向きに駆動力を発生させる。これにより、可動保持部材１１０は、図１５（ｃ）に示すように、直線Ｓ１の方向の下向きに移動させられる。
【００４４】
上記のように、この実施形態における像振れ補正装置によれば、構造の簡素化、レンズの光軸方向及び光軸方向に垂直な方向における装置の小型化及び薄型化等を達成でき、半田付け作業等を容易に行うことができ、又、半田付け時の熱による損傷等を防止でき、携帯電話機等のカメラユニットに搭載されて手振れ等による像振れを高精度に補正することができる。
【００４５】
上記実施形態においては、可動保持部材１１０をベース１００に隣接して移動自在に支持する支持機構として、可動保持部材１１０に形成された複数の突起１１８と、ベース１００に形成された受け面１０８を採用した場合を示したが、これに限定されるものではなく、その他の支持機構を備える構成において、本発明を採用してもよい。
上記実施形態においては、複数の駆動機構として、第１コイル１３２を含む第１駆動機構１３０及び第２コイル１４２を含む第２駆動機構１４０を示したが、これに限定されるものではなく、電気的接続を要するコイルを含むその他の駆動機構を備える構成において、本発明を採用してもよい。また、第１コイル及び第２コイルの形状は、略楕円環状に限らず、直線部からなる長辺及び短辺を含む略矩形環状でもよく、又、長辺が直線部を形成し、両方の直線部を円弧で結ぶ環状としてもよい。
【００４６】
上記実施形態においては、像振れ補正装置について示したが、撮像用の複数のレンズを含む撮像レンズユニットにおいて、上記構成をなす像振れ補正装置を含む構成を採用してもよい。
これによれば、撮像用の複数のレンズが光軸方向に配置された構成において、上記の像振れ補正装置を含むことで、可動保持部材１１０に保持される補正用のレンズＧ３，Ｇ４，Ｇ５が適宜駆動されて、手振れ等による像振れを円滑にかつ高精度に補正することができる。すなわち、撮像用の複数のレンズに加えて、上記の像振れ補正機能を追加した撮像レンズユニットを提供することができる。
【産業上の利用可能性】
【００４７】
以上述べたように、本発明の像振れ補正装置は、構造の簡素化、レンズの光軸方向及び光軸方向に垂直な方向における装置の小型化及び薄型化等を達成しつつ、半田付け作業等を容易に行うことができ、又、半田付け時の熱による部品の損傷等を防止でき、手振れ等により像振れを高精度に補正することができるため、小型化及び薄型化が要求される携帯電話機、携帯型音楽プレーヤ等の携帯情報端末機に搭載されるカメラユニットに適用することができるのは勿論のこと、通常のデジタルカメラ、あるいはその他の携帯型の光学機器等においても有用である。
【図面の簡単な説明】
【００４８】
【図１】本発明の像振れ補正装置が組み込まれたカメラユニットを搭載した携帯情報端末機を示す斜視図である。
【図２】カメラユニットを示す斜視図である。
【図３】カメラユニットのシステム図である。
【図４】カメラユニットの断面図である。
【図５】像振れ補正装置の斜視図である。
【図６】像振れ補正装置の分解斜視図である。
【図７】像振れ補正装置の断面図である。
【図８】像振れ補正装置の一部（カバー部材）を省略した斜視図である。
【図９】像振れ補正装置の一部（カバー部材及びフレキシブル配線板）を省略した斜視図である。
【図１０】像振れ補正装置の一部（カバー部材及びフレキシブル配線板）を省略した平面図である。
【図１１】像振れ補正装置に含まれる可動保持部材のベースと対向する側の面を示す図である。
【図１２】像振れ補正装置に含まれるベースの平面図である。
【図１３】像振れ補正装置に含まれるフレキシブル配線板の組付けを示す斜視図である。
【図１４】像振れ補正装置に含まれるフレキシブル配線板の半田付けを示す斜視図である。
【図１５】像振れ補正装置の動作を説明する平面図である。
【図１６】従来の像振れ補正装置を示す平面図である。
【符号の説明】
【００４９】
１  ベース
２  可動部材
３  コイル
４  フレキシブル配線板
４ａ  配線部
４ｂ  半田付け部
Ｌ１，Ｌ２  光軸
Ｐ  携帯情報端末機
Ｐ１  筐体
Ｐ２  表示部
Ｐ３  操作ボタン
Ｐ４  撮影窓
Ｕ  カメラユニット
１０  ユニットケース
１１  突出部
１２，１３，１４，１５  保持部
２０  プリズム
Ｇ，Ｇ１，Ｇ２，Ｇ３，Ｇ４，Ｇ５，Ｇ６  レンズ
３０  第１可動レンズ群
３１  レンズ保持部材
３２  被ガイド部
３３  被規制部
３４  Ｕ字状係合部
４０  フィルタ
５０  ＣＣＤ
６０  第１駆動ユニット
６１  ガイドシャフト
６２  回り止めシャフト
６３  リードスクリュー
６４  モータ
６５  ナット
６６  コイルスプリング
７０  第２駆動ユニット
７１  ガイドシャフト
７２  回り止めシャフト
７３  リードスクリュー
７４  モータ
７５  ナット
７６  コイルスプリング
８０  制御システム
８１  マイクロコンピュータ
８２，８３  モータ駆動回路
８４  ＣＣＤ駆動回路
８５  駆動回路
８６  位置検出回路
８７  角速度検出回路
Ｍ  像振れ補正装置
Ｓ１  第１直線
Ｓ２  第２直線
Ｓ３  直線
Ｓ３´  直線（第２方向）
Ｓ４  直線
Ｓ４´  直線（第１方向）
１００  ベース
１０１  開口部
１０２，１０２´，１０３，１０３´  嵌合孔
１０４  被ガイド部
１０５  被規制部
１０６  Ｕ字状係合部
１０７  掛止部
１０８  受け面
１１０  可動保持部材
Ｆ１  主面
Ｆ２  側面
１１０ａ  円筒部
１１１  平板部
１１２，１１３，１１４，１１５  嵌合孔
１１７  掛止部
１１８  突起
１１９  案内溝
１２０  付勢バネ
１３０  第１駆動機構
１３１  第１磁石
１３２  第１コイル
１３２ａ，１３２ｂ  リード部分
１３３，１３４  第１ヨーク
１４０  第２駆動機構
１４１  第２磁石
１４２  第２コイル
１４２ａ，１４２ｂ  リード部分
１４３，１４４  第２ヨーク
１５０  フレキシブル配線板
１５１  第１固定部
１５２  第２固定部
１５３  延出部
１５４ａ，１５４ｂ  第１接続部
１５５ａ，１５５ｂ  第２接続部
１６０  カバー部材
１６１  開口部
１６２，１６３  嵌合孔
１７０  第１位置センサ
１８０  第２位置センサ
【図１】
2010085694.tif 000003
【図２】
2010085694.tif 000004
【図３】
2010085694.tif 000005
【図４】
2010085694.tif 000006
【図５】
2010085694.tif 000007
【図６】
2010085694.tif 000008
【図７】
2010085694.tif 000009
【図８】
2010085694.tif 000010
【図９】
2010085694.tif 000011
【図１０】
2010085694.tif 000012
【図１１】
2010085694.tif 000013
【図１２】
2010085694.tif 000014
【図１３】
2010085694.tif 000015
【図１４】
2010085694.tif 000016
【図１５】
2010085694.tif 000017
【図１６】
2010085694.tif 000018